(57)【特許請求の範囲】
【請求項１】
電波を送受信する第１アンテナエレメント及び第２アンテナエレメントと、
前記電波に応じて信号処理する処理部を収容する筐体と、
前記第１アンテナエレメントを収容する第１エレメントカバーと、
前記第２アンテナエレメントを収容する第２エレメントカバーと、を備え、
前記第１エレメントカバーは、前記筐体によって第１回転軸周りに回転可能に保持され、且つ、前記第１回転軸に沿って前記筐体から突出する第１回転筒と、該第１回転筒から傾斜して突出する第１突出筒と、を含み、
第２エレメントカバーは、前記筐体によって第２回転軸周りに回転可能に保持され、且つ、前記第２回転軸に沿って前記筐体から突出する第２回転筒と、該第２回転筒から傾斜して突出する第２突出筒と、を含み、
前記第１回転筒は、前記第２回転筒に対して傾斜し、
前記第１回転筒及び前記第２回転筒のうち少なくとも一方の回転によって、前記第１アンテナエレメントを収容する前記第１突出筒と前記第２アンテナエレメントを収容する前記第２突出筒との間で規定される第１挟角が変化することを特徴とするアンテナ装置。
【請求項２】
前記第１回転軸と前記第２回転軸との間の第２挟角を二等分する中心線に対する前記第１回転軸の第１傾斜角度及び前記中心線に対する前記第２回転軸の第２傾斜角度は、３０°以上６０°以下であることを特徴とする請求項１に記載のアンテナ装置。
【請求項３】
前記第１傾斜角度及び前記第２傾斜角度は、４０°以上５０°以下であることを特徴とする請求項２に記載のアンテナ装置。
【請求項４】
前記第１突出筒は、前記第１傾斜角度で前記第１回転筒から突出し、
前記第２突出筒は、前記第２傾斜角度で前記第２回転筒から突出することを特徴とする請求項２又は３に記載のアンテナ装置。
【請求項５】
前記第１回転軸と前記第２回転軸とによって規定される基準面上に配置された前記第１突出筒及び前記第２突出筒は、前記中心線に沿って延びることを特徴とする請求項４に記載のアンテナ装置。
【請求項６】
前記第１回転筒は、該第１回転筒と前記第１突出筒との継目部から前記第１回転軸に沿って突出した第１先端部を含み、
前記第２回転筒は、該第２回転筒と前記第２突出筒との継目部から前記第２回転軸に沿って突出した第２先端部を含むことを特徴とする請求項１乃至５のいずれか１項に記載のアンテナ装置。
【請求項７】
前記第１回転筒を前記筐体内で保持する第１保持具と、
前記第２回転筒を前記筐体内で保持する第２保持具と、を更に備え、
前記第１回転筒には、前記第１保持具が嵌め込まれるように凹設された第１環溝が形成され、
前記第２回転筒には、前記第２保持具が嵌め込まれるように凹設された第２環溝が形成され、
前記筐体は、前記第１回転筒及び前記第２回転筒が貫く貫通穴が形成された外壁を含み、
該外壁が保持する前記第１回転筒の外径は、前記第１環溝によって規定される前記第１回転筒の外径よりも大きく、
前記外壁が保持する前記第２回転筒の外径は、前記第２環溝によって規定される前記第２回転筒の外径よりも大きいことを特徴とする請求項１乃至６のいずれか１項に記載のアンテナ装置。
【請求項８】
前記第１保持具及び前記第２保持具に重ね合わせられ、且つ、前記第１環溝及び前記第２環溝に嵌め込まれる主保持具を更に備え、
該主保持具は、前記第１回転筒及び前記第２回転筒を同時に保持することを特徴とする請求項７に記載のアンテナ装置。
【請求項９】
前記筐体は、前記外壁を有する第１ケースと、該第１ケースに重ね合わせられる第２ケースと、を含み、
該第２ケースは、前記処理部が取り付けられる取付面を含むことを特徴とする請求項８に記載のアンテナ装置。
【請求項１０】
前記筐体、前記第１エレメントカバー及び前記第２エレメントカバーは樹脂製であることを特徴とする請求項１乃至９のいずれか１項に記載のアンテナ装置。
【請求項１１】
前記筐体は、前記処理部から出力される処理信号に応じて所定の動作を実行する作動装置に接続される接続部を含み、
該接続部は、前記作動装置から取り外し可能に形成されることを特徴とする請求項１乃至１０のいずれか１項に記載のアンテナ装置。
【請求項１２】
請求項９に記載のアンテナ装置の製造方法であって、
前記貫通穴に前記第１回転筒及び前記第２回転筒を挿入し、前記第１ケース、前記第１エレメントカバー及び前記第２エレメントカバーを合体させる段階と、
前記第１環溝に前記第１保持具を嵌め込み、前記第２環溝に前記第２保持具を嵌め込む段階と、
前記第１回転筒及び前記第２回転筒を回転することによって、前記第１回転筒と前記第１ケースとの間に前記第１保持具を配置し、且つ、前記第２回転筒と前記第１ケースとの間に前記第２保持具を配置し、前記第１環溝及び前記第２環溝を露出させる段階と、
前記主保持具を、前記露出された第１環溝及び前記第２環溝に嵌め込む段階と、
前記第１ケースに前記第２ケースを重ね合わせる段階と、を有することを特徴とする製造方法。
【請求項１３】
前記第１ケースに前記第２ケースを重ね合わせる段階は、
前記取付面と反対側の外面が前記第１ケースに対向するように前記第２ケースを配置する段階と、
前記処理部から延びる前記第１アンテナエレメントを前記第２アンテナエレメントと交差させ、前記第１回転筒を介して、前記第１突出筒に挿入し、且つ、前記処理部から延びる前記第２アンテナエレメントを、前記第２回転筒を介して、前記第２突出筒に挿入する段階と、
前記第１アンテナエレメントと前記第２アンテナエレメントとの交差が解除されるように、前記第２ケースを反転させる段階と、
前記第１ケースに前記第２ケースを重ね合わせる段階と、を含むことを特徴とする請求項１２に記載の製造方法。
【発明の詳細な説明】
【技術分野】
【０００１】
本発明は、電波を送受信するアンテナ装置及びアンテナ装置の製造方法に関する。
【背景技術】
【０００２】
無線通信技術は、近年、様々な装置に用いられている。これらの装置のうちいくつかは、複数のアンテナエレメントを用いて、電波を受信する（特許文献１乃至３参照）。【０００３】
アンテナエレメントを備える作動装置は、受信電波に応じた動作を実行することができる。したがって、アンテナエレメントは、作動装置の遠隔操作に好適に利用可能である。【０００４】
アンテナエレメントが受信した電波に応じて信号を処理し、作動装置の動作を制御するための制御信号を出力するアンテナ装置は、必要に応じて、作動装置に必要に応じて取り付けられ、或いは、作動装置から取り外されるので、様々な技術分野に利用可能である。【０００５】
上述の如く、アンテナ装置が、作動装置に外付けで取り付けられるならば、アンテナ装置は、作動装置の設置場所によっては、狭い場所に配設されることもある。狭い場所でのアンテナ装置の設置の結果、ダイバシティ技術、特に、偏波ダイバシティに基づく通信の質の向上は、大幅に制限されることもある。
【先行技術文献】
【特許文献】
【０００６】
【特許文献１】特開２００５−１８４７１３号公報
【特許文献２】特開２００７−３１８６７８号公報
【特許文献３】特開２００５−３９５３９号公報
【発明の概要】
【０００７】
本発明は、良質の通信を達成することができるアンテナ装置及びアンテナ装置の製造方法を提供することを目的とする。
【０００８】
本発明の一の局面に係るアンテナ装置は、電波を送受信する第１アンテナエレメント及び第２アンテナエレメントと、前記電波に応じて信号処理する処理部を収容する筐体と、前記第１アンテナエレメントを収容する第１エレメントカバーと、前記第２アンテナエレメントを収容する第２エレメントカバーと、を備える。前記第１エレメントカバーは、前記筐体によって第１回転軸周りに回転可能に保持され、且つ、前記第１回転軸に沿って前記筐体から突出する第１回転筒と、該第１回転筒から突出する第１突出筒と、を含む。前記第２エレメントカバーは、前記筐体によって第２回転軸周りに回転可能に保持され、且つ、前記第２回転軸に沿って前記筐体から突出する第２回転筒と、該第２回転筒から突出する第２突出筒と、を含む。前記第１回転筒及び前記第２回転筒のうち少なくとも一方の回転によって、前記第１アンテナエレメントを収容する前記第１突出筒と前記第２アンテナエレメントを収容する前記第２突出筒との間で規定される第１挟角が変化する。
【０００９】
本発明の他の局面に係るアンテナ装置の製造方法は、前記貫通穴に前記第１回転筒及び前記第２回転筒を挿入し、前記第１ケース、前記第１エレメントカバー及び前記第２エレメントカバーを合体させる段階と、前記第１環溝に前記第１保持具を嵌め込み、前記第２環溝に前記第２保持具を嵌め込む段階と、前記第１回転筒及び前記第２回転筒を回転することによって、前記第１回転筒と前記第１ケースとの間に前記第１保持具を配置し、且つ、前記第２回転筒と前記第１ケースとの間に前記第２保持具を配置し、前記第１環溝及び前記第２環溝を露出させる段階と、前記主保持具を、前記露出された第１環溝及び前記第２環溝に嵌め込む段階と、前記第１ケースに前記第２ケースを重ね合わせる段階と、を有する。
【００１０】
上述のアンテナ装置は、良質の通信を達成することができる。また、上述の製造方法に従って、アンテナ装置は、簡便に組み立てられる。
【００１１】
本発明の目的、特徴及び利点は、以下の詳細な説明と添付図面とによって、より明白となる。
【図面の簡単な説明】
【００１２】
【図１】アンテナ装置の概略的な斜視図である。
【図２】図１に示されるアンテナ装置の概略的な斜視図である。
【図３】図１に示されるアンテナ装置の概略的な斜視図である。
【図４】図１に示されるアンテナ装置の第１エレメントカバーの概略的な分解図である。
【図５Ａ】図４に示される第１エレメントカバーの概略的な部品図である。
【図５Ｂ】図４に示される第１エレメントカバーの概略的な部品図である。
【図６】図１に示されるアンテナ装置の第２エレメントカバーの概略的な分解図である。
【図７Ａ】図６に示される第２エレメントカバーの概略的な部品図である。
【図７Ｂ】図６に示される第２エレメントカバーの概略的な部品図である。
【図８】図１に示されるアンテナ装置の筐体の概略的な分解斜視図である。
【図９】図８に示される筐体の概略的な分解側面図である。
【図１０】図１に示されるアンテナ装置の概略的な平面図である。
【図１１Ａ】図１に示されるアンテナ装置の無線回路の概略図である。
【図１１Ｂ】図１に示されるアンテナ装置の無線回路の概略図である。
【図１２Ａ】図１に示されるアンテナ装置の斜視図である。
【図１２Ｂ】図１に示されるアンテナ装置の斜視図である。
【図１２Ｃ】図１に示されるアンテナ装置の斜視図である。
【図１３】図４に示される第１エレメントカバーの概略的な平面図である。
【図１４】図４に示される第２エレメントカバーの概略的な平面図である。
【図１５Ａ】図１３に示される第１エレメントカバーの第１環溝に嵌め込まれる半リングの概略的な斜視図である。
【図１５Ｂ】図１４に示される第２エレメントカバーの第２環溝に嵌め込まれる半リングの概略的な斜視図である。
【図１６】図９に示される筐体の第１ケースの概略的な平面図である。
【図１７】図１に示されるアンテナ装置の概略的な部分断面図である。
【図１８】図１５Ａ及び図１５Ｂに示される半リングとともに第１エレメントカバー及び第２エレメントカバーを保持する保持ブロックの概略的な斜視図である。
【図１９】図１６に示される第１ケースの概略的な斜視図である。
【図２０】図１６に示される第１ケースの概略的な斜視図である。
【図２１】図９に示される筐体の第２ケースの概略的な平面図である。
【図２２】図２１に示される第２ケースの正面図である。
【図２３】図１に示されるアンテナ装置の組立方法を概略的に示すフローチャートである。
【図２４Ａ】図２３に示されるフローチャートに従って組み立てられるアンテナ装置の概略図である。
【図２４Ｂ】図２３に示されるフローチャートに従って組み立てられるアンテナ装置の概略図である。
【図２４Ｃ】図２３に示されるフローチャートに従って組み立てられるアンテナ装置の概略図である。
【図２４Ｄ】図２３に示されるフローチャートに従って組み立てられるアンテナ装置の概略図である。
【図２５】図２３に示されるフローチャートのステップＳ１４０における組立工程の概略的なフローチャートである。
【図２６Ａ】図２５に示されるフローチャートに従って組み立てられるアンテナ装置の概略図である。
【図２６Ｂ】図２５に示されるフローチャートに従って組み立てられるアンテナ装置の概略図である。
【図２６Ｃ】図２５に示されるフローチャートに従って組み立てられるアンテナ装置の概略図である。
【発明を実施するための形態】
【００１３】
アンテナ装置及びアンテナ装置の製造方法が図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、本実施形態の原理を容易に理解させることのみを目的とする、アンテナ装置及びアンテナ装置の製造方法の原理はこれらに何ら限定されない。
【００１４】
＜アンテナ装置＞
図１及び図２は、アンテナ装置１００の概略的な斜視図である。図１及び図２を用いて、アンテナ装置１００が説明される。
【００１５】
アンテナ装置１００は、電波を送受信する第１アンテナエレメント１１０及び第２アンテナエレメント１２０と、第１アンテナエレメント１１０及び第２アンテナエレメント１２０が受信した電波に応じて、信号処理を行う受信回路及び送信回路を含む無線回路１３０と、を備える。図１及び図２において、第１アンテナエレメント１１０及び第２アンテナエレメント１２０は、一点鎖線を用いて、概略的に示されている。また、無線回路１３０は、点線で、概略的に示されている。本実施形態において、無線回路１３０は、処理部として例示される。
【００１６】
アンテナ装置１００は、無線回路１３０を収容する筐体２００と、金属ワイヤを用いて形成された第１アンテナエレメント１１０を収容する第１エレメントカバー３００と、金属ワイヤを用いて形成された第２アンテナエレメント１２０を収容する第２エレメントカバー４００と、を更に備える。第１エレメントカバー３００及び第２エレメントカバー４００は、筐体２００から突出する。筐体２００、第１エレメントカバー３００及び第２エレメントカバー４００は、樹脂を用いて形成される。
【００１７】
筐体２００は、第１エレメントカバー３００及び第２エレメントカバー４００を支持する略円板状の第１部分２１０と、第１エレメントカバー３００及び第２エレメントカバー４００とは反対方向に突出する略直方体形状の第２部分２２０と、を備える。
【００１８】
図１に示される如く、第１部分２１０は、第１エレメントカバー３００及び第２エレメントカバー４００が突出する円板部２１１と、円板部２１１から隆起する略Ｃ型の隆起部２１２と、を備える。隆起部２１２は、円板部２１１から直立した立設壁２１３を含む。立設壁２１３には、アンテナ装置１００に電力を供給するためのＵＳＢスロット２１４が形成される。無線回路１３０は、第１アンテナエレメント１１０及び第２アンテナエレメント１２０が受信した電波に応じて、信号処理を行い、処理信号を出力する。ＵＳＢスロット２１４を介して外部装置が接続されるならば、当該外部装置は、処理信号に応じて、所定の動作を実行してもよい。
【００１９】
第２部分２２０の先端部には、ＬＡＮ端子２２１が形成される。無線回路１３０は、第１アンテナエレメント１１０及び第２アンテナエレメント１２０が受信した電波に応じて、信号処理を行い、処理信号を出力する。ＬＡＮ端子２２１を介して接続される外部装置は、処理信号に応じて、所定の動作を実行してもよい。
【００２０】
図３は、使用下にあるアンテナ装置１００の概略的な斜視図である。図１及び図３を用いて、アンテナ装置１００が更に説明される。
【００２１】
アンテナ装置１００は、ＬＡＮ端子２２１に対応するＬＡＮポートＰＴを有する外部装置ＥＤとともに好適に使用される。第２部分２２０は、外部装置ＥＤのＬＡＮポートＰＴに挿入される。外部装置ＥＤは、ＬＡＮ端子２２１を通じて出力された処理信号に応じて、所定の動作を実行してもよい。必要に応じて、第２部分２２０は、ＬＡＮポートＰＴから抜かれる。したがって、必要に応じて、アンテナ装置１００は外部装置ＥＤから取り除かれる。本実施形態において、外部装置ＥＤは、作動装置として例示される。また、第２部分２２０は、接続部として例示される。
【００２２】
使用者は、必要に応じて、アンテナ装置１００のＵＳＢスロット２１４に接続ケーブルＣＣを接続してもよい。ＵＳＢスロット２１４への接続ケーブルＣＣの接続の下、アンテナ装置１００は、ＡＣアダプタ（図示せず）に接続される。
【００２３】
図４は、第１エレメントカバー３００の概略的な分解図である。図５Ａ及び図５Ｂは、第１エレメントカバー３００の概略的な部品図である。図１、図４乃至図５Ｂを用いて、第１エレメントカバー３００が説明される。
【００２４】
図４に示される如く、第１エレメントカバー３００は、雄半筒３１０と、雄半筒３１０と合体する雌半筒３２０と、からなる。図５Ａは、雄半筒３１０の内面を概略的に示す。図５Ｂは、雌半筒３２０の内面を概略的に示す。雄半筒３１０の内面と雌半筒３２０の内面とが接合され、第１エレメントカバー３００が形成される。
【００２５】
雄半筒３１０は、第１アンテナエレメント１１０が挿入される空洞部３１１を形成する外壁３１２と、雌半筒３２０に向けて突出する複数の突出部３１３〜３１９と、を備える。突出部３１３〜３１９は、雌半筒３２０との接合面に沿って形成される。
【００２６】
雌半筒３２０は、雄半筒３１０と協働して空洞部３１１を形成する外壁３２２を備える。外壁３２２には、突出部３１３〜３１９に対応する嵌入穴３２３〜３２９が形成される。突出部３１３〜３１９は、嵌入穴３２３〜３２９にそれぞれ嵌入され、第１エレメントカバー３００が完成する。
【００２７】
図６は、第２エレメントカバー４００の概略的な分解図である。図７Ａ及び図７Ｂは、第２エレメントカバー４００の概略的な部品図である。図１、図６乃至図７Ｂを用いて、第２エレメントカバー４００が説明される。
【００２８】
図６に示される如く、第２エレメントカバー４００は、雄半筒４１０と、雄半筒４１０と合体する雌半筒４２０と、からなる。図７Ａは、雄半筒４１０の内面を概略的に示す。図７Ｂは、雌半筒４２０の内面を概略的に示す。雄半筒４１０の内面と雌半筒４２０の内面とが接合され、第２エレメントカバー４００が形成される。
【００２９】
雄半筒４１０は、第２アンテナエレメント１２０が挿入される空洞部４１１を形成する外壁４１２と、雌半筒４２０に向けて突出する複数の突出部４１３〜４１９と、を備える。突出部４１３〜４１９は、雌半筒４２０との接合面に沿って形成される。
【００３０】
雌半筒４２０は、雄半筒４１０と協働して空洞部４１１を形成する外壁４２２を備える。外壁４２２には、突出部４１３〜４１９に対応する嵌入穴４２３〜４２９が形成される。突出部４１３〜４１９は、嵌入穴４２３〜４２９にそれぞれ嵌入され、第２エレメントカバー４００が完成する。
【００３１】
図８は、筐体２００の概略的な分解斜視図である。図９は、筐体２００の概略的な分解側面図である。図１、図８及び図９を用いて、筐体２００が説明される。
【００３２】
筐体２００は、第１エレメントカバー３００及び第２エレメントカバー４００が取り付けられる第１ケース２３０と、第１ケース２３０に重ね合わせられる第２ケース２５０と、からなる。第１ケース２３０及び第２ケース２５０が重ね合わせられ、第１アンテナエレメント１１０、第２アンテナエレメント１２０及び無線回路１３０が収容される収容空間が形成される。
【００３３】
第１ケース２３０は、第１エレメントカバー３００及び第２エレメントカバー４００がそれぞれ挿入される一対の貫通穴２３１が形成された外壁２３２を備える。第２ケース２５０は、第１ケース２３０の外壁２３２とともに第１アンテナエレメント１１０、第２アンテナエレメント１２０及び無線回路１３０が収容される収容空間を規定する外壁２５２を備える。第２ケース２５０の外壁２５２には、ＬＡＮ端子２２１が形成されている。
【００３４】
図１０は、アンテナ装置１００の概略的な平面図である。図１、図８及び図１０を用いて、アンテナ装置１００が説明される。尚、図１０は、第１ケース２３０、第１エレメントカバー３００及び第２エレメントカバー４００を主に示す。
【００３５】
第１エレメントカバー３００は、外壁２３２に形成された貫通穴２３１に挿入される略円筒状の第１回転筒３３０と、第１回転筒３３０から突出する第１突出筒３５０と、を備える。図１０には、第１回転筒３３０の回転軸ＲＸ１が一点鎖線で示されている。第１ケース２３０に保持された第１回転筒３３０は、回転軸ＲＸ１周りに回転する。また、第１回転筒３３０は、回転軸ＲＸ１に沿って、第１ケース２３０から突出する。本実施形態において、回転軸ＲＸ１は、第１回転軸として例示される。
【００３６】
第２エレメントカバー４００は、外壁２３２に形成された貫通穴２３１に挿入される略円筒状の第２回転筒４３０と、第２回転筒４３０から突出する第２突出筒４５０と、を備える。図１０には、第２回転筒４３０の回転軸ＲＸ２が一点鎖線で示されている。第１ケース２３０に保持された第２回転筒４３０は、回転軸ＲＸ２周りに回転する。また、第２回転筒４３０は、回転軸ＲＸ２に沿って、第１ケース２３０から突出する。本実施形態において、回転軸ＲＸ２は、第２回転軸として例示される。
【００３７】
本実施形態において、回転軸ＲＸ１，ＲＸ２との間の挟角θは、「９０°」である。即ち、回転軸ＲＸ２は、回転軸ＲＸ１に対して直角である。本実施形態において、挟角θは、第２挟角として例示される。尚、挟角θは、６０°以上１２０°以下の範囲に設定されてもよい。好ましくは、挟角θは、８０°以上１００°以下の範囲に設定される。上述の範囲で挟角θが設定されるならば、適切な送受信環境が作り出されやすくなる。
【００３８】
図１０には、挟角θを二等分する中心線ＣＬが示されている。中心線ＣＬに対する回転軸ＲＸ１，ＲＸ２の傾斜角は、挟角θの半角に相当するので、本実施形態において、中心線ＣＬに対する回転軸ＲＸ１，ＲＸ２の傾斜角は、それぞれ「４５°」である。本実施形態において、挟角θの半角は、第１傾斜角度及び第２傾斜角度として例示される。挟角θが、６０°以上１２０°以下の範囲に設定されるならば、第１傾斜角度及び第２傾斜角度は、それぞれ、３０°以上６０°以下の範囲となる。挟角θが、８０°以上１００°以下の範囲に設定されるならば、第１傾斜角度及び第２傾斜角度は、それぞれ、４０°以上５０°以下の範囲となる。
【００３９】
回転軸ＲＸ１，ＲＸ２を包含するように定義された幾何学的平面は、以下の説明において、「基準面ＲＳ」と称される。図１０において、第１エレメントカバー３００の第１突出筒３５０の中心線ＥＬ１は、一点鎖線を用いて、示されている。また、第２エレメントカバー４００の第２突出筒４５０の中心線ＥＬ２は、一点鎖線を用いて、示されている。第１突出筒３５０は、中心線ＥＬ１に沿って延びる。第２突出筒４５０は、中心線ＥＬ２に沿って延びる。
【００４０】
図１０に示される第１エレメントカバー３００及び第２エレメントカバー４００の中心線ＥＬ１，ＥＬ２は、基準面ＲＳ上に位置する。このとき、中心線ＥＬ１，ＥＬ２は、中心線ＣＬに対して、平行である。
【００４１】
中心線ＥＬ１が基準面ＲＳ上に存するならば、中心線ＥＬ１と回転軸ＲＸ１との間の挟角は、回転軸ＲＸ１と中心線ＣＬとの間の挟角の同位角に相当する。したがって、本実施形態において、中心線ＥＬ１と回転軸ＲＸ１との間の挟角（１／２θ）は、「４５°」である。中心線ＥＬ１と回転軸ＲＸ１との間の挟角は、第１回転筒３３０に対する第１突出筒３５０の傾斜角度を意味する。したがって、本実施形態において、第１突出筒３５０は、第１回転筒３３０に対して、「４５°」の角度で突出する。
【００４２】
中心線ＥＬ２が基準面ＲＳ上に存するならば、中心線ＥＬ２と回転軸ＲＸ２との間の挟角は、回転軸ＲＸ２と中心線ＣＬとの間の挟角の同位角に相当する。したがって、本実施形態において、中心線ＥＬ２と回転軸ＲＸ２との間の挟角（１／２θ）は、「４５°」である。中心線ＥＬ２と回転軸ＲＸ２との間の挟角は、第２回転筒４３０に対する第２突出筒４５０の傾斜角度を意味する。したがって、本実施形態において、第２突出筒４５０は、第２回転筒４３０に対して、「４５°」の角度で突出する。
【００４３】
図１０に示される第１突出筒３５０と第２突出筒４５０との間の挟角（即ち、第１突出筒３５０内に収容された第１アンテナエレメント１１０と第２突出筒４５０内に収容された第２アンテナエレメント１２０との間の挟角）は、「０°」である。図１０に示される第１突出筒３５０及び／又は第２突出筒４５０の位置から、第１突出筒３５０及び／又は第２突出筒４５０が回転軸ＲＸ１，ＲＸ２周りに回転すると、第１アンテナエレメント１１０と第２アンテナエレメント１２０との間の挟角は増大する。
【００４４】
図１１Ａ及び図１１Ｂは、図１０に示される位置に保持された第１突出筒３５０内に配設された第１アンテナエレメント１１０と、図１０に示される位置から１８０°回転された第２突出筒４５０内に配設された第２アンテナエレメント１２０と、に接続された無線回路１３０の概略図である。図１０乃至図１１Ｂを用いて、第１アンテナエレメント１１０と第２アンテナエレメント１２０との間の好適な角度設定が説明される。
【００４５】
無線回路１３０は、第１給電端子１３１と、第２給電端子１３２と、を備える。第１アンテナエレメント１１０の基端部は、第１給電端子１３１に接続される。尚、第１アンテナエレメント１１０の先端部は、自由端である。第２アンテナエレメント１２０の基端部は、第２給電端子１３２に接続される。尚、第２アンテナエレメント１２０の先端部は、自由端である。
【００４６】
無線回路１３０は、第１アンテナエレメント１１０又は第２アンテナエレメント１２０に給電するための信号源１３３を更に備える。信号源１３３は、送信回路及び／又は受信回路として機能する。したがって、アンテナ装置１００は、電波を送受信可能となる。
【００４７】
無線回路１３０は、第１アンテナエレメント１１０及び第２アンテナエレメント１２０のうち一方をグランド線として用いる。無線回路１３０は、第１アンテナエレメント１１０及び第２アンテナエレメント１２０のうち他方に高周波電圧信号を印加する。したがって、アンテナ装置１００は、一般的なモノポールアンテナとして利用可能である。
【００４８】
無線回路１３０は、信号源１３３からの給電経路を切り替えるアンテナ切替スイッチ１３５を更に備える。図１１Ａに示されるアンテナ切替スイッチ１３５は、第１給電端子１３１と信号源１３３とを接続する。このとき、アンテナ装置１００は、第２アンテナエレメント１２０をグランド線として用いる。図１１Ｂに示されるアンテナ切替スイッチ１３５は、第２給電端子１３２と信号源１３３とを接続する。このとき、アンテナ装置１００は、第１給電端子１３１をグランド線として用いる。
【００４９】
アンテナ装置１００は、一般的なモノポールアンテナとして利用可能である。しかしながら、アンテナ装置１００は、一般的なモノポールアンテナと異なり、ダイバシチアンテナの切替構成と、モノポールアンテナの構成とをともに備える。一般的なモノポールアンテナは、アンテナエレメントと同程度或いはそれ以上の大きさのグランド面を筐体に設ける必要がある。しかしながら、本実施形態のアンテナ装置１００は、ダイバシチアンテナ及びモノポールアンテナの構成をともに具備するので、グランド面は必要としない。したがって、アンテナ装置１００は、小型に形成されてもよい。筐体に小さなグランドが設けられるならば、本実施形態のアンテナ装置１００は、ダイポールアンテナに類似した動作を行うことができる。
【００５０】
図１１Ａ及び図１１Ｂに示される如く、第２エレメントカバー４００が回転軸ＲＸ２周りに１８０°回転すると、第２突出筒４５０内に収容された第２アンテナエレメント１２０の部分と第１アンテナエレメント１１０との間の挟角φは、略９０°となる。第１アンテナエレメント１１０と第２アンテナエレメント１２０との直交関係が維持されるならば、アンテナ装置１００は、モノポールアンテナとして好適に動作することができる。
【００５１】
図１１Ａに示される第１アンテナエレメント１１０は、アンテナ切替スイッチ１３５によって、信号源１３３に接続されるので、モノポールアンテナの給電素子として働く。この間、第２アンテナエレメント１２０は、グランド線として機能する。したがって、アンテナ放射効率は増大する。
【００５２】
図１１Ｂに示される第２アンテナエレメント１２０は、アンテナ切替スイッチ１３５によって、信号源１３３に接続されるので、モノポールアンテナの給電素子として働く。この間、第１アンテナエレメント１１０は、グランド線として機能する。したがって、アンテナ放射効率は増大する。
【００５３】
一般的に、給電されるアンテナエレメントとグランド線として利用されるアンテナエレメントとの間の挟角が略９０°であるとき、アンテナ放射効率が最大化されることが知られている。
【００５４】
本実施形態において、第１エレメントカバー３００及び／又は第２エレメントカバー４００の回転操作によって、第１アンテナエレメント１１０と第２アンテナエレメント１２０との間の挟角は、略９０°に設定される。
【００５５】
第１アンテナエレメント１１０と第２アンテナエレメント１２０との間の挟角が９０°に設定されるならば、第１アンテナエレメント１１０から出射される電磁波の偏波面は、第２アンテナエレメント１２０から出射される電磁波の偏波面に対して直交する。偏波面の直交関係は、偏波ダイバシティを最大化する。したがって、使用者が、第１エレメントカバー３００及び／又は第２エレメントカバー４００を回転し、第１アンテナエレメント１１０と第２アンテナエレメント１２０との間の挟角を９０°に設定するならば、アンテナ装置１００は、最大化された偏波ダイバシティの下、動作することができる。
【００５６】
図１２Ａ乃至図１２Ｃは、アンテナ装置１００の斜視図である。図３、図１０乃至図１２Ｃを用いて、第１エレメントカバー３００及び第２エレメントカバー４００の角度設定が説明される。
【００５７】
図１２Ａ乃至図１２Ｃに示されるアンテナ装置１００の第１エレメントカバー３００及び第２エレメントカバー４００は、第１アンテナエレメント１１０と第２アンテナエレメント１２０との間の挟角が略９０°となるように設定されている。しかしながら、第１エレメントカバー３００及び第２エレメントカバー４００の基準面ＲＳからの回転角は、図１２Ａ乃至図１２Ｃ間で互いに異なる。
【００５８】
図３に関連して説明された如く、アンテナ装置１００は、様々な装置に取り付けられる。したがって、アンテナ装置１００の使用環境は、多様である。例えば、外部装置ＥＤの向き（縦置き又は横置き）によって、アンテナ装置１００が配設される空間形状は変わる。或いは、外部装置ＥＤのＬＡＮポートＰＴの向きによっても、アンテナ装置１００が配設される空間形状は変わる。加えて、ＬＡＮポートＰＴの近くに配線されるケーブルも、アンテナ装置１００に与えられた空間の形状に影響を与える。
【００５９】
図１２Ａ乃至図１２Ｃに示される如く、使用者は、第１エレメントカバー３００及び第２エレメントカバー４００を回転させ、アンテナ装置１００と障害物との干渉を避けることができる。したがって、アンテナ装置１００は、様々な使用環境下において、好適に動作することができる。
【００６０】
図１３は、第１エレメントカバー３００の概略的な平面図である。図１４は、第２エレメントカバー４００の概略的な平面図である。図１０、図１３及び図１４を用いて、第１エレメントカバー３００及び第２エレメントカバー４００が説明される。
【００６１】
図１３に示される如く、第１回転筒３３０は、第１突出筒３５０との継目部３３１から回転軸ＲＸ１に沿って突出する先端部３３２を含む。したがって、使用者は、先端部３３２の突出方向に基づき、回転軸ＲＸ１を直感的に認識することができる。この結果、使用者は、第１エレメントカバー３００に過度の負荷をかけることなく、第１エレメントカバー３００を回転軸ＲＸ１周りに回転させることができる。本実施形態において、先端部３３２は、第１先端部として例示される。
【００６２】
図１４に示される如く、第２回転筒４３０は、第２突出筒４５０との継目部４３１から回転軸ＲＸ２に沿って突出する先端部４３２を含む。したがって、使用者は、先端部４３２の突出方向に基づき、回転軸ＲＸ２を直感的に認識することができる。この結果、使用者は、第２エレメントカバー４００に過度の負荷をかけることなく、第２エレメントカバー４００を回転軸ＲＸ２周りに回転させることができる。本実施形態において、先端部４３２は、第２先端部として例示される。
【００６３】
図１３に示される如く、第１回転筒３３０には、第１環溝３３３が形成される。図１４に示される如く、第２回転筒４３０には、第２環溝４３３が形成される。
【００６４】
図１５Ａは、第１環溝３３３に嵌め込まれる半リング５１０の概略的な斜視図である。図１５Ｂは、第２環溝４３３に嵌め込まれる半リング５２０の概略的な斜視図である。図１６は、第１ケース２３０の概略的な平面図である。尚、図１６は、第１ケース２３０の内面を表す。図８、図１３乃至図１６を用いて、第１エレメントカバー３００、第２エレメントカバー４００及び第１ケース２３０の間の接続構造が説明される。
【００６５】
図８及び図１６に示される如く、第１ケース２３０は、一対の貫通穴２３１にそれぞれ隣接して形成された一対の保持部２３３を備える。保持部２３３は、略Ｕ字形状をなす。
【００６６】
図１５Ａに示される如く、半リング５１０は、略Ｃ字形状をなす。半リング５１０は、第１環溝３３３が形成された第１回転筒３３０の外面に密接される内周面５１１と、内周面５１１とは反対の外周面５１２と、を含む。外周面５１２は、保持部２３３と相補的である。
【００６７】
図１５Ｂに示される如く、半リング５２０は、略Ｃ字形状をなす。半リング５２０は、第２環溝４３３が形成された第２回転筒４３０の外面に密接される内周面５２１と、内周面５２１とは反対の外周面５２２と、を含む。外周面５２２は、保持部２３３と相補的である。
【００６８】
図１７は、アンテナ装置１００の概略的な部分断面図である。図８、図１３、図１４及び図１７を用いて、第１エレメントカバー３００及び第２エレメントカバー４００の第１ケース２３０への接続構造が更に説明される。
【００６９】
図１７に示される如く、保持部２３３に載置された半リング５１０は、第１回転筒３３０に形成された第１環溝３３３に嵌め込まれる。半リング５１０は、第１回転筒３３０を第１ケース２３０内で保持する。本実施形態において、半リング５１０は、第１保持具として例示される。
【００７０】
図１７に示される如く、保持部２３３に載置された半リング５２０は、第２回転筒４３０に形成された第２環溝４３３に嵌め込まれる。半リング５２０は、第２回転筒４３０を第１ケース２３０内で保持する。本実施形態において、半リング５２０は、第２保持具として例示される。
【００７１】
図１８は、半リング５１０，５２０とともに第１エレメントカバー３００及び第２エレメントカバー４００を保持する保持ブロック５３０の概略的な斜視図である。図１３、図１４、図１７及び図１８を用いて、保持ブロック５３０が説明される。
【００７２】
図１７に示される如く、半リング５１０は、第１回転筒３３０に形成された第１環溝３３３の略半周を覆う。また、半リング５２０は、第２回転筒４３０に形成された第２環溝４３３の略半周を覆う。
【００７３】
図１８に示される如く、保持ブロック５３０は、第１環溝３３３の残りの半周を覆うように形成された第１ブロック５３１と、第２環溝４３３の残りの半周を覆うように形成された第２ブロック５３２と、第１ブロック５３１及び第２ブロック５３２を接続する接続ブロック５３３と、を備える。接続ブロック５３３が規定する第１ブロック５３１と第２ブロック５３２との間の角度は、第１回転筒３３０と第２回転筒４３０との間の挟角に応じて定められる。したがって、本実施形態において、第２ブロック５３２は、第１ブロック５３１に対して９０°の角度で接続される。
【００７４】
図１９は、第１エレメントカバー３００及び第２エレメントカバー４００と合体される前の第１ケース２３０の概略的な斜視図である。図２０は、第１エレメントカバー３００及び第２エレメントカバー４００と合体された後の第１ケース２３０の概略的な斜視図である。図１９及び図２０を用いて、第１ケース２３０、第１エレメントカバー３００及び第２エレメントカバー４００の合体が説明される。
【００７５】
第１回転筒３３０及び第２回転筒４３０は、第１ケース２３０に形成された貫通穴２３１に挿入される。その後、半リング５１０は、第１ケース２３０内で、第１環溝３３３に嵌め込まれる。また、半リング５２０は、第１ケース２３０内で、第２環溝４３３に嵌め込まれる。最終的に、保持ブロック５３０が、半リング５１０，５２０に重ね合わせられる。この結果、保持ブロック５３０は、第１環溝３３３及び第２環溝４３３に嵌め込まれる。第１ブロック５３１は、半リング５１０と協働して、第１回転筒３３０を保持する。また、第２ブロック５３２は、半リング５２０と協働して、第２回転筒４３０を保持する。したがって、保持ブロック５３０は、第１回転筒３３０及び第２回転筒４３０を同時に保持することができる。本実施形態において、保持ブロック５３０は、主保持部として例示される。
【００７６】
第１エレメントカバー３００は、半リング５１０及び第１ブロック５３１によって第１ケース２３０の内部で保持されるだけでなく、第１ケース２３０の外壁２３２によっても保持される。したがって、第１エレメントカバー３００に対する保持構造は、高い機械的強度を有する。
【００７７】
第２エレメントカバー４００は、半リング５２０及び第２ブロック５３２によって第１ケース２３０の内部で保持されるだけでなく、第１ケース２３０の外壁２３２によっても保持される。したがって、第２エレメントカバー４００に対する保持構造は、高い機械的強度を有する。
【００７８】
使用者は、第１ケース２３０の外で、第１エレメントカバー３００及び／又は第２エレメントカバー４００を操作する。したがって、外壁２３２は、第１回転筒３３０及び第２回転筒４３０に対して、高い応力を生じさせやすい。
【００７９】
外壁２３２は、第１突出筒３５０と第１回転筒３３０との継目部３３１から第１環溝３３３までの領域で、第１回転筒３３０を支持する。外壁２３２によって支持される第１回転筒３３０の領域の外径は、第１環溝３３３によって規定される第１回転筒３３０の外径よりも大きい。したがって、外壁２３２が第１回転筒３３０に高い応力を生じさせても、第１エレメントカバー３００は、応力に十分に耐えることができる。
【００８０】
外壁２３２は、第２突出筒４５０と第２回転筒４３０との継目部４３１から第２環溝４３３までの領域で、第２回転筒４３０を支持する。外壁２３２によって支持される第２回転筒４３０の領域の外径は、第２環溝４３３によって規定される第２回転筒４３０の外径よりも大きい。したがって、外壁２３２が第２回転筒４３０に高い応力を生じさせても、第２エレメントカバー４００は、応力に十分に耐えることができる。
【００８１】
図２１は、第２ケース２５０の概略的な平面図である。図１、図９、図２０及び図２１を用いて、第２ケース２５０が説明される。尚、図２１は、第１ケース２３０に対向する内面を主に示す。
【００８２】
第２ケース２５０は、第１回転筒３３０及び第２回転筒４３０の一部が収容された第１ケース２３０の内部空間２３４を覆うカバー部２５１と、カバー部２５１の略中央から第１ケース２３０に向けて突出するケーブル保持板２５３と、を備える。ケーブル保持板２５３は、内部空間２３４内に突出する。
【００８３】
第２ケース２５０は、カバー部２５１から突出する略矩形箱状の収容部２５４を備える。収容部２５４の先端縁に沿って、ＬＡＮ端子２２１が形成される。ケーブル保持板２５３とＬＡＮ端子２２１との間に無線回路１３０が取り付けられる。以下の説明において、無線回路１３０が取り付けられる収容部２５４の内面は、取付面２５５と称される。また、取付面２５５とは反対側の面は、外面２５６と称される。
【００８４】
図２２は、第２ケース２５０の正面図である。図１及び図２２を用いて、第２ケース２５０が更に説明される。
【００８５】
ケーブル保持板２５３には、一対のスリット２５７が形成される。一対のスリット２５７には、第１アンテナエレメント１１０及び第２アンテナエレメント１２０がそれぞれ挿入される。
【００８６】
＜アンテナ装置の組立方法＞
図２３は、アンテナ装置１００の組立方法を概略的に示すフローチャートである。図２４Ａ乃至図２４Ｄは、図２３のフローチャートに従って組み立てられるアンテナ装置１００の概略図である。図８、図２３乃至図２４Ｄを用いて、アンテナ装置１００の組立方法が説明される。
【００８７】
（ステップＳ１１０）
ステップＳ１１０において、第１回転筒３３０及び第２回転筒４３０は、第１ケース２３０の外壁２３２に形成された貫通穴２３１に挿入される（図８及び図２４Ａ参照）。この結果、第１エレメントカバー３００及び第２エレメントカバー４００は、第１ケース２３０に接続される。その後、ステップＳ１２０が実行される。
【００８８】
（ステップＳ１２０）
ステップＳ１２０において、半リング５１０は、第１環溝３３３に嵌め込まれ、半リング５２０は、第２環溝４３３に嵌め込まれる（図２４Ａ及び図２４Ｂ参照）。その後、ステップＳ１３０が実行される。
【００８９】
（ステップＳ１３０）
ステップＳ１３０において、第１エレメントカバー３００及び第２エレメントカバー４００は、１８０°回転される（図２４Ｃ参照）。したがって、半リング５１０は、第１回転筒３３０と保持部２３３との間に配置され、半リング５２０は、第２回転筒４３０と保持部２３３との間に配置されることとなる（図８及び図２４Ｃ参照）。この結果、第１環溝３３３及び第２環溝４３３が露出する。露出した第１環溝３３３及び第２環溝４３３に保持ブロック５３０が嵌め込まれる（図２４Ｃ及び図２４Ｄ参照）。その後、ステップＳ１４０が実行される。
【００９０】
（ステップＳ１４０）
ステップＳ１４０において、第１ケース２３０に第２ケース２５０が重ね合わせられる（図８参照）。この結果、アンテナ装置１００が完成する。
【００９１】
図２５は、上述のステップＳ１４０における組立工程の概略的なフローチャートである。図２６Ａ乃至図２６Ｃは、図２５のフローチャートに従って組み立てられるアンテナ装置１００の概略図である。図１７、図２１、図２２、図２５乃至図２６Ｃを用いて、ステップＳ１４０における組立工程が更に説明される。
【００９２】
（ステップＳ１４１）
ステップＳ１４１において、図２６Ａに示される如く、第１アンテナエレメント１１０及び第２アンテナエレメント１２０が半田付けされた無線回路１３０が用意される。第１アンテナエレメント１１０及び第２アンテナエレメント１２０は、ケーブル保持板２５３に形成された一対のスリット２５７にそれぞれ挿入される。無線回路１３０は、第２ケース２５０の取付面２５５（図２１参照）に設置される。その後、ステップＳ１４２が実行される。
【００９３】
（ステップＳ１４２）
ステップＳ１４２において、図２６Ｂに示される如く、第２ケース２５０の外面２５６（図２２参照）が第１ケース２３０に対向するように、第２ケース２５０が配置される。第１アンテナエレメント１１０は、第２アンテナエレメント１２０に対して交差される。その後、第１アンテナエレメント１１０は、第１エレメントカバー３００に挿入される。第２アンテナエレメント１２０は、第２エレメントカバー４００に挿入される。第１アンテナエレメント１１０及び第２アンテナエレメント１２０の交差により、第１回転筒３３０及び第２回転筒４３０の向きと、第１アンテナエレメント１１０及び第２アンテナエレメント１２０の延出方向と、が略一致するので、第１回転筒３３０及び第２回転筒４３０を介した第１アンテナエレメント１１０及び第２アンテナエレメント１２０の挿入が容易に行われる。
【００９４】
図１７に示される如く、第１エレメントカバー３００は、第１回転筒３３０から第１突出筒３５０への第１アンテナエレメント１１０の進入を案内する案内壁３０１を備える。また、第２エレメントカバー４００は、第２回転筒４３０から第２突出筒４５０への第２アンテナエレメント１２０の進入を案内する案内壁４０１を備える。したがって、第１アンテナエレメント１１０及び第２アンテナエレメント１２０は、第１突出筒３５０及び第２突出筒４５０の先端まで円滑にそれぞれ進入することができる。
【００９５】
（ステップＳ１４３）
ステップＳ１４３において、図２６Ｃに示される如く、第１アンテナエレメント１１０と第２アンテナエレメント１２０との交差が解除されるように、第２ケース２５０は反転される。その後、第２ケース２５０は、第１ケース２３０に合体される。この結果、アンテナ装置１００が完成する。
【００９６】
上述の実施形態に関連して説明された様々な技術は、以下の特徴を主に備える。
【００９７】
上述の実施形態の一局面に係るアンテナ装置は、電波を送受信する第１アンテナエレメント及び第２アンテナエレメントと、前記電波に応じて信号処理する処理部を収容する筐体と、前記第１アンテナエレメントを収容する第１エレメントカバーと、前記第２アンテナエレメントを収容する第２エレメントカバーと、を備える。前記第１エレメントカバーは、前記筐体によって第１回転軸周りに回転可能に保持され、且つ、前記第１回転軸に沿って前記筐体から突出する第１回転筒と、該第１回転筒から突出する第１突出筒と、を含む。前記第２エレメントカバーは、前記筐体によって第２回転軸周りに回転可能に保持され、且つ、前記第２回転軸に沿って前記筐体から突出する第２回転筒と、該第２回転筒から突出する第２突出筒と、を含む。前記第１回転筒及び前記第２回転筒のうち少なくとも一方の回転によって、前記第１アンテナエレメントを収容する前記第１突出筒と前記第２アンテナエレメントを収容する前記第２突出筒との間で規定される第１挟角が変化する。
【００９８】
上記構成によれば、電波を送受信する第１アンテナエレメント及び第２アンテナエレメントは、第１エレメントカバー及び第２エレメントカバーにそれぞれ収容される。電波に応じて信号処理する処理部を収容する筐体によって保持された第１エレメントカバーの第１回転筒は、第１回転軸周りに回転する。また、第１回転筒は、第１回転軸に沿って、筐体から突出する。筐体によって保持された第２エレメントカバーの第２回転筒は、第２回転軸周りに回転する。また、第２回転筒は、第２回転軸に沿って、筐体から突出する。第１突出筒及び第２突出筒は、第１回転筒及び第２回転筒からそれぞれ突出する。第１回転筒及び第２回転筒のうち少なくとも一方の回転によって、第１アンテナエレメントを収容する第１突出筒と第２アンテナエレメントを収容する第２突出筒との間で規定される第１挟角が変化するので、適切な通信環境が作り出される。この結果、アンテナ装置は、良質の通信を達成することができる。
【００９９】
上記構成において、前記第１回転軸と前記第２回転軸との間の第２挟角を二等分する中心線に対する前記第１回転軸の第１傾斜角度及び前記中心線に対する前記第２回転軸の第２傾斜角度は、３０°以上６０°以下であってもよい。
【０１００】
上記構成によれば、第１回転軸と第２回転軸との間の第２挟角を二等分する中心線に対する第１回転軸の第１傾斜角度及び中心線に対する第２回転軸の第２傾斜角度は、３０°以上６０°以下であるので、使用者は、第１挟角を適切に設定しやすくなる。したがって、アンテナ装置は、良質の通信を達成することができる。
【０１０１】
上記構成において、前記第１傾斜角度及び前記第２傾斜角度は、４０°以上５０°以下であってもよい。
【０１０２】
上記構成によれば、第１傾斜角度及び第２傾斜角度は、４０°以上５０°以下であるので、使用者は、第１挟角を適切に設定しやすくなる。したがって、アンテナ装置は、良質の通信を達成することができる。
【０１０３】
上記構成において、前記第１突出筒は、前記第１傾斜角度で前記第１回転筒から突出してもよい。前記第２突出筒は、前記第２傾斜角度で前記第２回転筒から突出してもよい。
【０１０４】
上記構成によれば、第１突出筒は、第１傾斜角度で第１回転筒から突出し、且つ、第２突出筒は、第２傾斜角度で第２回転筒から突出するので、使用者は、第１挟角を適切に設定しやすくなる。この結果、アンテナ装置は、良質の通信を達成することができる。
【０１０５】
上記構成において、前記第１回転軸と前記第２回転軸とによって規定される基準面上に配置された前記第１突出筒及び前記第２突出筒は、前記中心線に沿って延びてもよい。
【０１０６】
上記構成によれば、第１回転軸と第２回転軸とによって規定される基準面上に配置された第１突出筒及び第２突出筒は、中心線に沿って延びるので、使用者は、第１挟角を適切に設定しやすくなる。したがって、アンテナ装置は、良質の通信を達成することができる。
【０１０７】
上記構成において、前記第１回転筒は、前記第１回転筒は、該第１回転筒と前記第１突出筒との継目部から前記第１回転軸に沿って突出した第１先端部を含んでもよい。前記第２回転筒は、該第２回転筒と前記第２突出筒との継目部から前記第２回転軸に沿って突出した第２先端部を含んでもよい。
【０１０８】
上記構成によれば、第１回転筒は、第１回転筒と第１突出筒との継目部から第１回転軸に沿って突出した第１先端部を含むので、使用者は、直感的に、第１回転筒を第１回転軸周りに回転させることができる。第２回転筒は、第２回転筒と第２突出筒との継目部から第２回転軸に沿って突出した第２先端部を含むので、使用者は、直感的に、第２回転筒を第２回転軸周りに回転させることができる。したがって、使用者は、第１挟角を適切に設定しやすくなる。この結果、アンテナ装置は、良質の通信を達成することができる。
【０１０９】
上記構成において、アンテナ装置は、前記第１回転筒を前記筐体内で保持する第１保持具と、前記第２回転筒を前記筐体内で保持する第２保持具と、を更に備えてもよい。前記第１回転筒には、前記第１保持具が嵌め込まれるように凹設された第１環溝が形成されてもよい。前記第２回転筒には、前記第２保持具が嵌め込まれるように凹設された第２環溝が形成されてもよい。前記筐体は、前記第１回転筒及び前記第２回転筒が貫く貫通穴が形成された外壁を含んでもよい。該外壁が保持する前記第１回転筒の外径は、前記第１環溝によって規定される前記第１回転筒の外径よりも大きくてもよい。前記外壁が保持する前記第２回転筒の外径は、前記第２環溝によって規定される前記第２回転筒の外径よりも大きくてもよい。
【０１１０】
上記構成によれば、第１回転筒は、筐体内において第１環溝に嵌め込まれた第１保持具と、筐体の外壁とによって保持されるので、第１エレメントカバーの機械的な強度は高くなる。第２回転筒は、筐体内において第２環溝に嵌め込まれた第２保持具と、筐体の外壁とによって保持されるので、第２エレメントカバーの機械的な強度は高くなる。
【０１１１】
外壁が保持する第１回転筒の外径は、第１環溝によって規定される第１回転筒の外径よりも大きいので、外壁が第１回転筒に与える応力集中に起因する第１回転筒の破損は生じにくくなる。外壁が保持する第２回転筒の外径は、第２環溝によって規定される第２回転筒の外径よりも大きいので、外壁が第２回転筒に与える応力集中に起因する第２回転筒の破損は生じにくくなる。
【０１１２】
上記構成において、アンテナ装置は、前記第１保持具及び前記第２保持具に重ね合わせられ、且つ、前記第１環溝及び前記第２環溝に嵌め込まれる主保持具を更に備えてもよい。該主保持具は、前記第１回転筒及び前記第２回転筒を同時に保持してもよい。
【０１１３】
上記構成によれば、第１保持具及び第２保持具に重ね合わせられた主保持具は、第１環溝及び第２環溝に嵌め込まれる。主保持具は、第１回転筒及び第２回転筒を同時に保持するので、第１エレメントカバー及び第２エレメントカバーの位置関係は、適切に維持される。したがって、適切な通信環境が維持される。
【０１１４】
上記構成において、前記筐体は、前記外壁を有する第１ケースと、該第１ケースに重ね合わせられる第２ケースと、を含んでもよい。該第２ケースは、前記処理部が取り付けられる取付面を含んでもよい。
【０１１５】
上記構成によれば、第１エレメントカバー及び第２エレメントカバーは、第１ケースに取り付けられる。処理部は、第２ケースに取り付けられる。したがって、アンテナ装置の組立が容易となる。
【０１１６】
上記構成において、前記筐体、前記第１エレメントカバー及び前記第２エレメントカバーは樹脂製であってもよい。
【０１１７】
上記構成によれば、筐体、第１エレメントカバー及び第２エレメントカバーは樹脂製であるので、アンテナ装置は廉価になる。
【０１１８】
上記構成において、前記筐体は、前記処理部から出力される処理信号に応じて所定の動作を実行する作動装置に接続される接続部を含んでもよい。該接続部は、前記作動装置から取り外し可能に形成されてもよい。
【０１１９】
上記構成によれば、アンテナ装置は、接続部を介して、作動装置に接続される。作動装置は、処理部から処理される処理信号に応じて、所定の動作を実行する。接続部は、作動装置から取り外し可能に形成される。上述の如く、第１回転筒及び第２回転筒のうち少なくとも一方の回転によって、第１アンテナエレメントを収容する第１突出筒と第２アンテナエレメントを収容する第２突出筒との間で規定される第１挟角が変化するので、作動装置に取り付けられたアンテナ装置が狭い空間に配設されても、適切な通信環境が作り出される。この結果、アンテナ装置は、良質の通信を達成することができる。
【０１２０】
上述の実施形態の他の局面に係るアンテナ装置の製造方法は、前記貫通穴に前記第１回転筒及び前記第２回転筒を挿入し、前記第１ケース、前記第１エレメントカバー及び前記第２エレメントカバーを合体させる段階と、前記第１環溝に前記第１保持具を嵌め込み、前記第２環溝に前記第２保持具を嵌め込む段階と、前記第１回転筒及び前記第２回転筒を回転することによって、前記第１回転筒と前記第１ケースとの間に前記第１保持具を配置し、且つ、前記第２回転筒と前記第１ケースとの間に前記第２保持具を配置し、前記第１環溝及び前記第２環溝を露出させる段階と、前記主保持具を、前記露出された第１環溝及び前記第２環溝に嵌め込む段階と、前記第１ケースに前記第２ケースを重ね合わせる段階と、を有する。
【０１２１】
上記構成によれば、筐体の外壁に形成された貫通穴に、第１回転筒及び第２回転筒が挿入される。第１ケース、第１エレメントカバー及び第２エレメントカバーの合体の後、第１環溝に第１保持具が嵌め込まれる。また、第２環溝に第２保持具が嵌め込まれる。第１回転筒及び第２回転筒の回転によって、第１保持具は、第１回転筒と第１ケースとの間に配置される。第２保持具は、第２回転筒と第１ケースとの間に配置される。この間、第１環溝及び第２環溝は露出する。主保持具は、露出された第１環溝及び第２環溝に嵌め込まれる。したがって、第１エレメントカバー及び第２エレメントカバーは、第１ケースに容易に固定される。その後、第１ケースに第２ケースが重ね合わせられ、アンテナ装置が完成する。したがって、アンテナ装置は、簡便に組み立てられる。
【０１２２】
上記構成において、前記第１ケースに前記第２ケースを重ね合わせる段階は、前記取付面と反対側の外面が前記第１ケースに対向するように前記第２ケースを配置する段階と、前記処理部から延びる前記第１アンテナエレメントを前記第２アンテナエレメントと交差させ、前記第１回転筒を介して、前記第１突出筒に挿入し、且つ、前記処理部から延びる前記第２アンテナエレメントを、前記第２回転筒を介して、前記第２突出筒に挿入する段階と、前記第１アンテナエレメントと前記第２アンテナエレメントとの交差が解除されるように、前記第２ケースを反転させる段階と、前記第１ケースに前記第２ケースを重ね合わせる段階と、を含んでもよい。
【０１２３】
上記構成によれば、第１ケースに第２ケースを重ね合わせる段階において、取付面と反対側の外面が第１ケースに対向するように、第２ケースが配置される。処理部から延びる第１アンテナエレメントは、第２アンテナエレメントと交差され、第１回転筒を介して、第１突出筒に挿入される。また、処理部から延びる第２アンテナエレメントは、第２回転筒を介して、第２突出筒に挿入される。その後、第２ケースは、第１アンテナエレメントと第２アンテナエレメントとの交差が解除されるように、反転される。その後、第２ケースは、第１ケースに重ね合わせられる。第１アンテナエレメント及び第２アンテナエレメントは、第１エレメントカバー及び第２エレメントカバーに容易に挿入されるので、アンテナ装置は、簡便に組み立てられる。
【産業上の利用可能性】
【０１２４】
上述の実施形態の原理は、電波の送受信に応じて動作する装置に好適に適用される。
【図１】
0006048942.tif 000002
【図２】
0006048942.tif 000003
【図３】
0006048942.tif 000004
【図４】
0006048942.tif 000005
【図５Ａ】
0006048942.tif 000006
【図５Ｂ】
0006048942.tif 000007
【図６】
0006048942.tif 000008
【図７Ａ】
0006048942.tif 000009
【図７Ｂ】
0006048942.tif 000010
【図８】
0006048942.tif 000011
【図９】
0006048942.tif 000012
【図１０】
0006048942.tif 000013
【図１１Ａ】
0006048942.tif 000014
【図１１Ｂ】
0006048942.tif 000015
【図１２Ａ】
0006048942.tif 000016
【図１２Ｂ】
0006048942.tif 000017
【図１２Ｃ】
0006048942.tif 000018
【図１３】
0006048942.tif 000019
【図１４】
0006048942.tif 000020
【図１５Ａ】
0006048942.tif 000021
【図１５Ｂ】
0006048942.tif 000022
【図１６】
0006048942.tif 000023
【図１７】
0006048942.tif 000024
【図１８】
0006048942.tif 000025
【図１９】
0006048942.tif 000026
【図２０】
0006048942.tif 000027
【図２１】
0006048942.tif 000028
【図２２】
0006048942.tif 000029
【図２３】
0006048942.tif 000030
【図２４Ａ】
0006048942.tif 000031
【図２４Ｂ】
0006048942.tif 000032
【図２４Ｃ】
0006048942.tif 000033
【図２４Ｄ】
0006048942.tif 000034
【図２５】
0006048942.tif 000035
【図２６Ａ】
0006048942.tif 000036
【図２６Ｂ】
0006048942.tif 000037
【図２６Ｃ】
0006048942.tif 000038